(57)【要約】【課題】パソコンラックを邪魔にならないようにする。【解決手段】パソコンラック自体の占有領域をコンパクトにできるコンパクト手段が設けられている。【選択図】      図１
2004154345.tif 000002
【特許請求の範囲】
【請求項１】
パソコンラック自体の占有領域をコンパクトにできるコンパクト手段（５）が設けられていることを特徴とするパソコンラック。
【請求項２】
前記コンパクト手段（５）は、天板（２）の下部に設けられるサイドボード（３）を左右方向にスライドさせるスライド装置（６）からなることを特徴とする請求項１に記載のパソコンラック。
【請求項３】
前記天板（２）及びサイドボード（３）は、上下方向に複数段設けられると共に、上下方向に複数段設けられた天板（２）及びサイドボード（３）の上下方向の高さが調整自在となるように、天板（２）及びサイドボード（３）は支持部材（４）によって支持されていることを特徴とする請求項２に記載のパソコンラック。
【請求項４】
前記コンパクト手段（５）は、天板（２）の下方から引き出し可能に支持された補助テーブル（２６）を天板（２）の下方に位置させて天板（２）に重合させる姿勢変更装置（２７）からなることを特徴とする請求項１に記載のパソコンラック。
【請求項５】
前記姿勢変更装置（２７）は更に、前記補助テーブル（２６）を天板（２）の下方から上方前方に位置させて補助テーブル（２６）と天板（２）とを同一面に姿勢変更するものであることを特徴とする請求項４に記載のパソコンラック。
【請求項６】
前記姿勢変更装置（２７）は更に、前記補助テーブル（２６を天板（２）の下方から前方に位置させて補助テーブル（２６）と天板（２）とがそれぞれ上下段に姿勢変更するものであることを特徴とする請求項４又は５に記載のパソコンラック。
【請求項７】
コンパクト手段（５）は、天板（２）の後端部を軸心廻りに揺動自在に支持する揺動機構（５１）と、前後棚受部（５３）を介して天板（２）を支持すると共に、前後方向に開閉脚する支柱（７）からなることを特徴とする請求項１に記載のパソコンラック。
【請求項８】
前記天板（２）には、モニターの落下を防止するモニターガード（６２）が揺動自在に設けられていることを特徴とする請求項７に記載のパソコンラック。
【発明の詳細な説明】
【０００１】
【発明の属する技術分野】
本発明は、パソコンの関連用品等を載置するパソコンラックに関するものである。
【０００２】
【従来の技術】
従来より、パソコンラックには様々なものがあり、例えばパソコンラックとして、特開２００２−１７４５６号公報や特開平１０−１２７３６５号公報に開示されているものがある。
このようなパソコンラックは、天板と、この天板を支持する脚部材等で構成されており、この天板上にパソコン本体やキーボード等のパソコン関連用品等が載置できるようになっている。
【０００３】
【特許文献１】
特開２００２−１７４５６号公報
【特許文献２】
特開平１０−１２７３６５号公報
【０００４】
【発明が解決しようとする課題】
しかしながら、従来のパソコンラックでは、ある程度限られたスペースにパソコンラックを設置した場合に、パソコンラック自体がスペースの大部分を占めるので、パソコンラック自体が邪魔になることがあった。
そこで、本発明は、上記問題点に鑑み、パソコンラック自体の占有領域をコンパクトにできるパソコンラックを提供することを目的とする。
【０００５】
【課題を解決するための手段】
この技術的課題を解決するための本発明の技術的手段は、パソコンラック自体の占有領域をコンパクトにできるコンパクト手段が設けられている。
これによれば、従来のパソコンラックのようにある程度限られたスペースにパソコンラックを設置した場合でも、パソコンラックの占有領域をコンパクトにできるのでパソコンラック自体が邪魔になることがない。
また、コンパクト手段は、天板の下部から引き出し可能なサイドボードを左右方向にスライドさせるスライド装置からなることが好ましい。
【０００６】
これによれば、サイドボードをスライド装置によってスライドさせることで、サイドボードが天板の下に収納されるようになるので、パソコンラック自体の左右方向の占有領域をコンパクトにすることができる。
また、前記天板及びサイドボードは、上下方向に複数段設けられると共に、上下方向に複数段設けられた天板及びサイドボードの上下方向の高さが調整自在となるように、天板及びサイドボードは前記支持部材によって支持されていることが好ましい。
【０００７】
これによれば、複数段のサイドボードが設けられているので、パソコン関連用品等を上下段のサイドボード上にも載置することができる。
さらに、天板及びサイドボードの上下方向の高さが調整自在となっているので、様々な高さのパソコン関連用品等を載置することができる。
また、コンパクト手段は、天板の下方から引き出し可能に支持された補助テーブルを天板の下方に位置させて天板に重合させる姿勢変更装置からなることが好ましい。
【０００８】
これによれば、補助テーブルを姿勢変更装置によって天板の下方に位置させて天板に重合させることで、補助テーブルが天板の下方に収納され、パソコンラック自体の占有領域をコンパクトにすることができる。
また、姿勢変更装置は更に、補助テーブルを天板の下方から上方前方に位置させて補助テーブルと天板とを同一面に姿勢変更するものであることが好ましい。
これによれば、補助テーブルと天板とを同一面にすることができるので、天板のサイドに補助テーブルが加えられ、これにより、天板と補助テーブルとを合わせた作業スペースが増加するので作業がしやすくなる。
【０００９】
さらに、補助テーブルと天板とが同一面であるので、補助テーブルと天板とを跨ってパソコン関連用品等が載置できるようになり、天板より大きな物をこのスペースに載置することができる。
また、姿勢変更装置は更に、補助テーブルを天板の下方から前方に位置させて補助テーブルと天板とがそれぞれ上下段に姿勢変更するものであることが好ましい。
これによれば、補助テーブルと天板とがそれぞれ上下段となる上下段姿勢にすることができるので、補助テーブルと天板とを遊離させた状態でも使用することができる。
【００１０】
コンパクト手段は、天板の後端部を軸心廻りに揺動自在に支持する揺動機構と、前後棚受部を介して天板を支持し且つ前後方向に開閉脚する支柱からなることが好ましい。
これによれば、天板を支持している支柱を閉脚し且つ天板を同一方向に揺動することによって、パソコンラック自体の前後方向の占有領域をコンパクトにすることができる。
【００１１】
【発明の実施の形態】
以下、本発明の実施の形態を図面に基づいて説明する。
図１〜８は本発明のパソコンラックの第１の実施の形態を示している。
図１、２に示すように、パソコンラック１は、複数の天板２と、この天板２の下部に引き出し可能に収納されるサイドボード３と、天板２とサイドボード３とをそれぞれ支持する支持部材４とを有しており、例えば天板２上にパソコンモニターＭ等のパソコン関連用品を載置できるようになっている。
【００１２】
なお、下記の実施の形態では、説明の便宜上、パソコンラック１を正面から見て手前側を前側（前方向）、奥側を後側（後方向）、前後方向と直交する方向を左右方向としており、例えば、図１では紙面貫通方向は前後方向となる、第１の実施の形態の以降、第２〜第４実施の形態についても同様である。
また、このパソコンラック１には、パソコンラック１自体の占有領域をコンパクトにできるコンパクト手段５が設けられており、このコンパクト手段５は、天板２の下部に設けられたサイドボード３を左右方向にスライドさせるスライド装置６で構成されている。
【００１３】
図１〜３に示すように、支持部材４は、ラック設置面から立設した複数の支柱７と、この支柱７を前後方向に連結し且つ天板２とサイドボード３とを受ける複数の棚受部材８と、支柱７を左右方向に連結する連結部材９とを有している。
支柱７は、設置面に固定される固定支柱７ａと、設置面を左右方向に移動する移動支柱７ｂとから構成されており、各支柱は略角柱状に形成されている。
固定支柱７ａは、天板２のコーナー部に配置されており、移動支柱７ｂは、サイドボード３の右側コーナー部に配置されている。固定支柱７ａの下端部には、アジャスター１０が設けられており、固定支柱７ａがラック設置面から安定して立脚できるようになっている。
【００１４】
移動支柱７ｂの下端部には、キャスター１１が設けられており、移動支柱７ｂが左右方向に移動できるようになっている。
図１、２に示すように連結部材９は、角筒状に形成されて、後側に位置する固定支柱７ｂを左右方向に亘って連結している。この連結部材９内には、角筒状に形成されたスライド部材１２が摺動可能に挿通されおり、このスライド部材１２の右側端部は移動支柱７ｂに連結されている。
したがって、移動支柱７ｂを左右方向に移動させることによって、スライド部材１２は、連結部材９内を左右方向に摺動してスライドするようになっている。
【００１５】
また、移動支柱７ｂの移動に伴ってスライドされるスライド部材１２のスライド長さは、連結部材９の右側端部に設けられた長さ調整具１３（止め螺子）によって調節可能となっている。
図２〜５に示すように、長さ調整具１３（止め螺子）は、連結部材９の右側端部に設けられた螺子孔１４に蝶合されると共に、スライド部材１２の長手方向（左右方向）に設けられた止め螺子１３の螺子逃げ溝１５に挿通されるようになっており、この止め螺子１３を螺子孔１４と螺子逃げ溝１５とを介して固定支柱７ｂに蝶合することによって、スライド部材１２は左右方向に動くことなく固定されるようになっている。そして、この止め螺子１３の締め付けを緩めることによって、スライド部材１２は固定状態から解除されて左右方向にスライドすることができるようになっている。また、止め螺子は下部より上方向に対して各棚受部材８を貫通し、サイドボード３に対して木ねじや、凹部があらかじめ任意の間隔でサイドボード３に埋め込まれた部品に対応する螺子などにより固定することができる。
【００１６】
図１〜３に示すように、各棚受部材８は、略円柱状に形成され、固定支柱７ａ及び移動支柱７ｂの上下及び中途部を前後方向に連結しており、これにより、天板２及びサイドボード３を受ける棚受部１６が上下方向に複数段形成されている。
図２、６に示すように、天板２は、矩形板状に形成されており、天板２のコーナー部には切り欠き凹部１７が設けられている。天板２の下部には、ガイドレール１８が設けられており、このガイドレール１８にはサイドボード３の両側部と係合する断面略Ｌ字状の係合部１９が設けられて、この係合部１９に矩形板状に形成されたサイドボード３が摺動可能に係合される。
【００１７】
したがって、ガイドレール１８に係合されたサイドボード３を左右方向にスライドさせることによって、天板２の下部からサイドボード３を引き出すことができるようになっている。
図７に示すように、このサイドボード３の右側端部には棚受部１６と係合する断面コ字状のアングル２０（係合凹部）が設けられており、このアングル２０を棚受部１６に係合することによって、サイドボード３の右側端部は支持されるようになっている。
【００１８】
したがって、天板２の左右両端部を同一段の棚受部１６に置くと共に、この天板２の切り欠き凹部１７を固定支柱７ａの外側面（コーナー部）に係合することによって、天板２は左右に動くことなく脱着可能に支持され、天板２に摺動されるサイドボード３の左側端部も脱着可能に支持される。そして、サイドボード３の右側端部のアングル２０を棚受部１６に係合することによって、サイドボード３の右側端部が支持されてサイドボード３の両端部が棚受部１６によって支持される。
【００１９】
また、棚受部１６が複数段設けられているので、棚受部１６に設けられた天板２及びサイドボード３を天板２が設けられていない他段の棚受部１６に位置変更することによって、天板２及びスライドボード３の互いの上下方向の高さを調整することができる。
図１、２に示すように、このパソコンラック１には、上記の天板２の他に、キーボードＫ等を載置するキーボード天板２１が設けられており、このキーボード天板２１には、キーボード天板２１の下部から引き出すことのできるマウス天板２２が設けられている。
【００２０】
このキーボード天板２１は、矩形板上に形成されており、断面略コ字状のキーボード用ガイドレール２３に摺動可能に係合され、これによって、キーボード天板２１は、前後方向に引き出し可能となっている。マウス天板２２は、キーボード天板２１の下部に設けられたマウス用ガイドレール（図示省略）によって、キーボード天板２１から左右方向に引き出し可能となっている。
また、図８に示すように、固定支柱７ａには、キーボード用ガイドレール２３を取り付ける取付部が上下方向に複数段設けられており、この取付部にねじ等の締結具２５を締結することによって、キーボード用ガイドレール２３は固定支柱７ａに取り付けられている。
【００２１】
したがって、取付部が複数段設けられているので、キーボード用ガイドレール２３を他段の取付部に位置変更することによって、キーボード天板２１及びマウス天板２３の上下方向の高さを調整することができ、これにより、座った状態や椅子に座った状態など様々な体勢でキーボードやマウスを操作することができる。
以上の構成によれば、スライド装置６は、移動支柱７ｂと、この移動支柱７ｂに設けられたキャスター１１と、サイドボード３が摺動されるガイドレール１８と、サイドボード３のアングル２０（係合凹部）と、サイドボード３の右側端部を受ける棚受部１６と、連結部材９と、スライド部材１２とから構成されており、これらによって、天板２の下部に設けられたサイドボード３を左右方向にスライドさせることができるようになっている。
【００２２】
即ち、図１、２、４、５に示すように、例えば、止め螺子１３を緩めてスライド部材１２をスライド可能状態とし、移動支柱７ｂを右方向にスライドさせれば、上下段のサイドボード３の右側端部は棚受部１６により右側に引っ張られてサイドボード３は天板２のガイドレール１８上を摺動して天板２の下部から引き出される。また、これとは逆に移動支柱７ｂを左方向にスライドすることによって、サイドボード３は天板２の下部に収納される。
これから分かるように、スライド装置６によってサイドボード３が左右方向に移動させられ、パソコンラック１自体の長さが変更され、パソコンラック１自体の占有領域は変更される。移動支柱７ｂを固定支柱７ａに近接させたときは、パソコンラック１自体の占有領域は最小となる。
【００２３】
したがって、スライド装置６によって、パソコンラック１自体の占有領域を最小にすれば、パソコンラック１自体を設置していない空きスペース（パソコンラック１のサイドスペース）が増加するので、パソコンラック自体が邪魔になることがなくなる。
また、止め螺子１３を固定支柱７ａに蝶合すればスライド部材１２は左右方向にスライドしなくなり移動支柱７ｂの移動は規制されるので、パソコンラック１自体を任意の長さに調整することができる。
【００２４】
さらに、移動支柱７ｂの移動幅（スライド部材１２のスライド長さ）は、スライド部材１２の螺子逃げ溝１５の長さと同じに設定されており、スライド部材１２の螺子逃げ溝１５の左側端部は、サイドボード３の左側端部よりも右側に位置し、且つ、この螺子逃げ溝１５の左側端部は移動支柱７ｂをスライドした際に止め螺子１３に衝突してストパーとして働くので、天板２から引き出されるスライドボード３は、天板２から抜け落ちないようになっている。
また、移動支柱７ｂ（支持部材４）を右方向にスライドさせることにより複数段のサイドボード３を引き出すことができ、これにより、パソコン関連用品等を上下段のサイドボード３上にも載置することができる。
【００２５】
なお、上記の第１の実施の形態では、パソコンラック１を右側にスライドするように構成したが、当然の如く、左側にスライドするように構成してもよい。
図９〜図１８は本発明のパソコンラックの第２の実施の形態を示している。
図９〜１１に示すように、パソコンラック１は、略矩形板状の天板２と、この天板２の下部で支持されて天板から引き出し可能となる補助テーブル２６と、この補助テーブル２６の姿勢を変更する姿勢変更装置２７と、天板２を支持する支柱７とを有している。
【００２６】
また、パソコンラック１には、パソコンラック１自体の占有領域をコンパクトにできるコンパクト手段５が設けられており、このコンパクト手段５は、補助テーブル２６を天板２の下方に位置させて天板２に重合させる姿勢変更装置２７で構成されている。
支柱７は、略角柱状に形成されて、天板２の前後左右に位置し、天板２の裏面と連結して天板２を支持している。この支柱７の下端部には、支柱７を前後に連結する平板状のベース部材２８が設けられており、このベース部材２８の前後両端部にはキャスター１１が設けられ、パソコンラック１自体を移動させることができるようになっている。
【００２７】
図１１に示すように、補助テーブル２６は、天板２と同様に略矩形板状に形成されており、この補助テーブル２６の後方両側面には連結板２９が設けられており、この連結板２９には前後方向にそれぞれ２個のローラ３０が設けられている。また、補助テーブル２６の下部には、左右方向に引き出し可能なマウス天板２２が設けられている。
図９、１０に示すように、姿勢変更装置２７は、天板２の両側面に取り付けられたガイドレール本体３１と、このガイドレール本体３１に取り付けられる案内具３２とで構成されている。
【００２８】
ガイドレール本体３１は、平板を屈曲して断面略コ字形に形成されており、このガイドレール本体３１には、この側面を貫通するガイドレール溝３３が設けられている。
したがって、補助テーブル２６は、ガイドレール溝３３に補助テーブル２６のローラー３０を挿通させることによって天板２の下方に吊り下げた状態で支持されいる。
また、補助テーブル２６のローラー３０がガイドレール溝３３に添って移動するようになり、このローラー３０がガイドレール溝３３に案内されることによって補助テーブル２６は天板２に対して姿勢変更できるようになっている。
【００２９】
図１２〜１８に示すように、ガイドレール溝３３には、ガイドレール本体３１の後方から前方にかけてその溝が直線状に前後方向に伸びる直線部３４が設けられている。この直線部３４の前端部には、この前端部から前方上方向に傾斜する前傾斜部３５が設けられ、直線部３４の中途部には、この中途部から前方上方向に傾斜する後傾斜部３６が設けられている。また、前傾斜部３５の端部と後傾斜部３６の端部とにそれぞれ連続的に連なる前後係合部３７が設けられている。
そして、直線部３４と前傾斜部３５と後傾斜部３６とは連続的に連なっており、前傾斜部３５と後傾斜部３６との傾斜角度は、略同角度となっている。
【００３０】
図１０〜１８に示すように、案内具３２は、平板状に形成されて、ガイドレール本体３１の側面に揺動自在取り付けられており、ガイドレール溝３３に添って移動するローラー３０を案内具３２の側面に乗り上げるさせることによって、案内具３２はローラー３０を誘導しローラ３０の移動方向を変えさせることができる。
案内具３２の側面は、ガイドレール溝３３の後傾斜部３６の傾斜角度と略同じである後ローラ案内部３８と、ガイドレール溝３３の前傾斜部３５の傾斜角度と略同じである前ローラ案内部３９と、この前ローラー案内部３９に連なる傾斜部４０と、ガイドレール溝３３方向に突起する突起部４１と、ローラ３０に係合する係合凹部４２とにより構成されている。
【００３１】
図１２に示すように、案内具３２の側面にローラー３０が乗り上げない、即ち、案内具３２がローラー３０を誘導しないときは、案内具３２の後ローラ案内部３８はガイドレール溝３３の下方に位置するようになっている。
以上の構成により、補助テーブル２６のローラー３０がガイドレール溝３３に添って案内されることにより補助テーブル２６は次のように姿勢変更することができ、又、パソコンラック１自体をコンパクトにすることができる。
図１２に示すように、補助テーブル２６の後ローラー３０ｂが直線部３４の後端部に位置したときに補助テーブル２６の先端部が天板２の先端部よりも後方に位置し、且つ、直線部３４が天板２の下方に位置しているので、この直線部３４の後端部まで後ローラー３０ｂを移動させることによって、補助テーブル２６は天板３６の下方に位置して天板２と重合するようになり、補助テーブル２６は収納姿勢４３とされる。
【００３２】
即ち、姿勢変更装置２７（コンパクト手段５）によって、補助テーブル２６は天板２の下方に位置させて天板２に重合させられているので、パソコンラック１自体の前後方向は短くなりの占有領域をコンパクトにすることができる。
図１３、１４に示すように、収納姿勢４３である補助テーブル２６を前方に引き出すと、ローラー３０が直線部３４に添って前方に移動し始め、直線部３４の前方で前ローラ３０ａは案内具３２の突起部４１と衝突して前ローラ３０ａが突起部４１に乗り上がり、案内具３２の後ローラ案内部３８は上方に揺動する。そして、前ローラー３０ａが突起部４１を乗り越えると、前ローラー３０ａは案内具３２の係合凹部４２に係合して停止すると共に後ローラ３０ｂは後ローラ案内部３８に衝突し停止する。
【００３３】
このとき、補助テーブル２６はローラー３０の移動に伴って天板２の先端部よりも前方に徐々に引き出され、前ローラー３０ａと後ローラー３０ｂとが停止すると、補助テーブル２６は天板２と上下段となる姿勢、即ち、補助テーブル２６は上下段姿勢４４とされる。
また、前ローラー３０ａを係合凹部４２に係合することによってローラー３０は停止されているので、補助テーブル２６は前後方向に動くことなくロックされており、この補助テーブル２６は上下段姿勢４４に保持される。
【００３４】
図１５、１６に示すように、上下段姿勢４４である補助テーブル２６を強い力でさらに前方に引き出すと、係合凹部４２に係合されている前ローラ３０ａは係合凹部４２から前ローラ案内部３９に乗り上げてガイドレール溝３３の前傾斜部３５に誘導され、後ローラー３０ｂは案内具３２の後ローラ案内部３８に乗り上げてガイドレール溝３３の後傾斜部３６に誘導され、このローラー３０の移動に伴い補助テーブル２６は前方上方へ移動する。
そして、補助テーブル２６のローラ３０が前後傾斜部３５、３６の上端部に差し掛かるとローラー３０はやや後方に移動してガイドレール溝３３の前後係合部３７に係合して停止する。
【００３５】
このとき、前ローラー３０ａが案内具３２の係合凹部４２から前ローラ案内部３９に乗り上げた際に、補助テーブル２６の上下段姿勢４４のロック状態は解除され、補助テーブル２６はローラー３０の移動に伴って天板２の下部から上方前方に引き出され、ローラー３０が前後係合部３７に係合して停止すると、補助テーブル２６は天板２と同一面となる面一姿勢４５とされる。
また、ローラー３０をガイドレール溝３３の前後係合部３７に係合することによってローラー３０は停止されているので、補助テーブル２６は上下前後方向に動くことなくロックされており、この補助テーブル２６は面一姿勢４５に保持される。
【００３６】
図１７、１８に示すように、面一姿勢４５である補助テーブル２６を強い力で少し引き出すと、面一姿勢４５のロック状態が解除され、前後係合部３７に係合されているローラー３０がそれぞれガイドレール溝３３の前傾斜部３５と後傾斜部３６とに添って移動し始め、前ローラー３０ａが案内具３２の傾斜部４０に乗り上げ、それに伴って案内具３２は揺動し、前傾斜部３５にある前ローラー３０ａは前ローラー案内部３９を介してガイドレール溝３３の直線部３４に誘導され、後傾斜部３６にある後ローラー３０ｂは後ローラー案内部３８を介してガイドレール溝３３の直線部３４の中途部に誘導されて、前ローラー３０ａは案内具３２の係合凹部４２に係合して停止する。
【００３７】
このとき、補助テーブル２６はローラー３０の移動に伴って姿勢変更して上下段姿勢４４に保持される。
したがって、姿勢変更装置２７によって、補助テーブル２６は、上記の如く、天板２の下方に位置させて天板２に重合させる収納姿勢４３と、天板２の下方から上方前方に位置させて補助テーブル２６と天板２とを同一面にする同一面姿勢４５と、天板２の下方から前方に位置させて補助テーブル２６と天板２とがそれぞれ上下段になる上下段姿勢４４とに姿勢変更することができる。
【００３８】
さらに、姿勢変更装置２７によって、補助テーブル２６は、面一姿勢４５の補助テーブル２６を下方後方に位置させて上下段姿勢に姿勢変更することができる。
補助テーブル２６を面一姿勢４５にすれば、天板２のサイドに補助テーブル２６が加えられ、作業するスペースが増加するので作業がしやすくなる。
さらに、この面一姿勢４５では、補助テーブル２６と天板２とを跨ってパソコン関連用品等が載置できるようになり、天板２より大きなパソコン関連用品等をこのスペースに載置することができる。
【００３９】
補助テーブル２６を上下段姿勢４４にすれば、補助テーブル２６と天板２とを上下段に遊離させた状態でも使用することができ、例えば、上下段姿勢４４の補助テーブル２６にキーボードを置けば、パソコン操作がしやすくなる。
本発明の実施の形態を図面に基づいて説明する。
図１９〜２３は本発明のパソコンラックの第３の実施の形態を示している。
図１９〜２１に示すように、パソコンラック１は、上下段に配置された複数の天板２と、前後方向に開閉脚する前後一対の支柱７と、この前後一対の支柱７を連結する棚受部材５０とを有しており、パソコンラックは折り畳み可能となっている。
【００４０】
また、パソコンラック１は、パソコンラック１自体の占有領域をコンパクトにできるコンパクト手段５が設けられており、コンパクト手段５は、天板２の後端部を棚受部材５０の軸心廻りに揺動自在に支持する揺動機構５１と、一対の開閉脚可能な支柱７で構成されている。
図１９〜２１に示すように、前後一対の支柱７はそれぞれ平板状に形成されており、各支柱７の上端部が連結具５２を介して前後方向に開閉脚可能に連結されている。
【００４１】
この前後一対の支柱７の下端部にはキャスター１１が設けられており、このキャスター１１によってパソコンラック１自体が移動できるようになっている。
前後一対の支柱７は、天板２の左右側面の外方に位置しており、天板２を左右から挟み込むような状態で配置されている。また、前後一対の支柱７は、左右方向に互いに棚受部材５０によって連結されており、これにより、前後方向に天板２を受ける前後棚受部５３が形成されている。
前棚受部５３ａは、前後一対の支柱７のうち前側支柱７ａを左右方向に互いに連結することにより構成され、後棚受部５３ｂは、前後一対の支柱５０のうち後側支柱７ｂを左右方向に互いに連結することにより構成されており、それぞれの前後棚受部５３は支柱７に対して脱着可能となっている。
【００４２】
また、前後棚受部５３は、第３の実施の形態では上下方向に３段設けられている。
天板２は、補助テーブル２６を有し且つこの補助テーブル２６を天板２から引き出し可能にした第１天板２ａと、補助テーブル２６を備えていない第２天板２ｂとを有している。
第１天板２ａは、矩形板状に形成されており、この第１天板２ａの左右両端部には下方に突出して補助テーブル２６を連結する連結板５４が設けられ、この連結板５４の内側面には、前後方向にローラ５５が設けられている。
【００４３】
補助テーブル２６は、第１天板２ａと同様に矩形板状に形成されており、この補助テーブル２６の左右両端部には、前後方向に伸びる断面コ字状のガイドレール５６が設けられている。
したがって、補助テーブル２６のガイドレール５６に連結板５４のローラー５５を挿通させることによって補助テーブル２６は、第１天板２ａに対して前後方向に引き出し可能に連結されている。
また、この補助テーブル２６の下部には、左右方向に伸びるマウス用ガイドレール５７が設けられており、このマウス用ガイドレール５７を介して矩形板状のマウス天板５８が補助テーブル２６に対して左右方向に引き出し可能に連結されている。
【００４４】
第１天板２ａの連結板５４の前方下部には、前棚受部５２ａに係合する係合凹部５９が設けられており、この係合凹部５９は第３の実施の形態では、断面コ字状のアングルで構成されている。
第１天板２ａの連結板５４の後方下部には、左右方向に貫通する貫通孔６０が設けられており、この貫通孔６０に後棚受部５３ｂが挿通されるようになっている。
図２１、２２に示すように、第１天板２ａの後側面には、連結具６１を介して略逆Ｕ字状のモニターガード６２が取り付けられている。この連結具６１は、管状の連結部６３と、この連結部６３に蝶合される固定ねじ６４（締結具）を有しており、連結部６３内にモニターガード６２の両端部を挿通することにより、モニターガード６２は揺動連結され、固定ねじ６４を連結部６３に締め付けることによって、モニターガード６２は固定される。
【００４５】
したがって、モニターガード６２を揺動させて略上方向に立てかけることによって、モニターガード６２がストッパーとなり第１天板２ａに載置されたモニター等の後方向の移動を規制するので、第１天板２ａの後方からモニター等が落下しないようになっている。
第２天板２ｂは、第１天板２ａと同様に矩形状に形成されており、第２天板２ｂの前方下部には、第１天板２ａと同様に前棚受部５３ａに係合する係合凹部５９が設けられており、係合凹部５９はこの第３の実施の形態では、断面コ字状のアングルで構成されている。
【００４６】
第２天板２ｂの後方下部には、後棚受部５２ｂに連結する連結具６５（Ｕボルト）が取り付け可能となっている。
したがって、それぞれの第２天板２ｂの後端部は、第２天板２ｂの後方下部の連結具６５（Ｕボルト）と上下段の各後棚受部５３ｂとを連結することによって、各後棚受部５２ｂに取り付けられ、これにより、第２天板２ｂは後棚受部５３ｂの軸心廻りに揺動自在に連結される。
なお、ここにおいて、第２天板２ｂの後端部は、連結具６５（Ｕボルト）を介して後棚受部５３ｂに連結されているが、第２天板２ｂの後端部は、揺動自在に後棚受部５３ｂに連結されればよく、例えば、第２天板２ｂの後端部は連結具６５（ヒンジ）を介して後棚端部５３ｂに連結されてもよい。
【００４７】
また、第１天板２ａの後端部は、第１天板２ａの貫通孔６０に中段の後棚受部５３ｂを挿通させることによって中段の後棚受部５０ｂに取り付けられ、これにより、第１天板２ａは後棚受部５３ｂの軸心廻りに揺動自在に連結される。
なお、この第１天板２ａにおいても、上記の第２天板２ｂと同様に、揺動自在に後棚受部５３ｂに連結されればよく、例えば、第１天板２ａの貫通孔６０の代わりに、第１天板２ａの後端部にヒンジを設けて後棚端部５３ｂに連結してもよいし、上記の第２天板２ｂと同様に後端部に連結具６５（Ｕボルト等）を設けて後棚端部５３ｂに連結してもよい。
【００４８】
即ち、第１天板２ａ及び第２天板２ｂの後端部を揺動する揺動機構５１は、後棚端部５２ｂと、連結具６５又は貫通孔６０で構成されている。
以上の構成により、次のようにすればパソコンラック１自体を使用にしたり折り畳んでコンパックとにすることができる。
図１９に示すように、前後一対の支柱７を前後方向に開脚して、前後棚受部５２の前後棚幅をそれぞれの天板２の前後幅に合わせて、各天板２を揺動させ、第１及び第２天板２ａ、２ｂに設けられたアングル５９を前棚受部５３ａに係合すれば、各天板２の前端部は脱着可能に前棚受部５３ａに連結されて、天板２は接地面と略平行となりパソコンラック自体を使用することができる。
【００４９】
また、図１９、２３に示すように、揺動機構５１によって各天板２を同一方向に揺動させて前棚受部５３ａから天板２の前端部を取り外し、前後一対の支柱７を前後方向に閉脚すれば、使用時よりも前後の占有領域を縮めることができるので、パソコンラック１自体をコンパクトに折り畳むことができる。
しかも、前後一対の支柱７、及び、天板２が連結されて一体化されているので、コンパクトに折り畳まれたパソコンラック１を使用するには、前後一対の支柱７を開脚して天板２の前端部を前棚受部５３ａに連結すればよいので、折り畳まれたパソコンラック１を使用の度に組み立てる必要がなく、簡単な操作でパソコンラック１自体を折り畳み状態から使用状態にすることができる。
【００５０】
なお、モニターガード６２を上方向に固定した状態で、パソコンラック１自体を折り畳むとこのモニターガード６２が後方側に大きく突出するが、モニターガード６２を連結している連結具６３の固定ねじ６４を緩めて、固定状態から揺動状態とし、図２２に示すようにモニターガード６２を前方側に倒せば、さらにパソコンラック１自体をコンパクトにすることができる。
また、天板２を着脱可能としてもよいし、前後一対の支柱７を閉脚状態で固定する固定部材を設けるのが好ましい。
【００５１】
本発明の実施の形態を図面に基づいて説明する。
図２４〜２６は本発明のパソコンラックの第４の実施の形態を示している。
このパソコンラックは、上記第３の実施の形態と比べて、一対の支柱の形状と構成とが異なっており、他の構成は第３の実施の形態と同様である。
図２４、２５に示すように、一対の支柱７はそれぞれパイプ又は棒状に形成されており、各支柱７の中途部を連結具６６介して連結することによって、一対の支柱７は前後方向に開閉脚可能に連結されいる。また、互いの支柱７はＸ字状にクロスした状態となっている。
【００５２】
この一対の支柱７は、天板２の左右側面の外方に位置しており、天板２を左右から挟み込むような状態で配置されている。また、一対の支柱７は、棚受部材５０によって左右方向に互いに連結されており、前後方向に天板２を受ける前後棚受部５３が形成されている。なお、この場合において、棚受部材５０と一対の支柱７とが一体化形成されていてもよい。
この前後棚受部５３は、第４の実施の形態では上下方向に２段設けられている。
【００５３】
前後棚受部５３の上段の前棚受部５３ａと下段の後棚受部５３ｂは、一対の支柱７のうち内側の支柱７を互いに左右方向に連結することにより構成され、前後棚受部５３の上段の後棚受部５３ｂと下段の前棚受部５３ａとは、一対の支柱７のうち外側の支柱７を互いに左右方向に連結することにより構成されている。
したがって、第２天板２ｂの後端部は、第２天板２ｂの後方下部のＵボルト６５（連結具）を下段の後棚受部５３ｂに連結することによって取り付けられ、これにより、第２天板２ｂは後棚受部５３ｂの軸心廻りに揺動自在に連結される。
【００５４】
第１天板２ａの後端部は、第１天板２ａの後方下部のＵボルト６５（連結具）を上段の後棚受部５３ｂに連結することによって取り付けられ、これにより、第１天板２ａは後棚受部５３ｂの軸心廻りに揺動自在に連結される。
したがって、天板２の後端部は、後棚受部５３ｂの軸心廻りに揺動自在に連結されていると共に、天板２の前端部は、前棚受部５３ａに着脱自在に連結されている。
以上の構成により、図２６に示すように、天板２を同一方向に揺動させて前棚受部５３ａから天板２の前端部を取り外し、前後一対の支柱７を前後方向に閉脚すれば、使用時よりも前後の占有領域を縮めることができるので、パソコンラック自体をコンパクトに折り畳むことができる。
【００５５】
しかも、一対の支柱７、及び、天板２が連結されて一体化されているので、コンパクトに折り畳まれたパソコンラック１を使用するには、一対の支柱７を開脚して天板２の前端部を前棚受部５３ａに連結すればよいので、折り畳まれたパソコンラック１を使用の度に組み立てる必要がなく、簡単な操作でパソコンラック１自体を折り畳み状態から使用状態にすることができる。
本発明は、上記記載の実施の形態に限定されることなく適宜に設計変更が可能である。例えば、第３の実施の形態において、図２７に示すように、第１天板２ａの連結板５４の前方下部に、前棚受部５３ａに係合する係合凹部５９を前後離れた位置に設けると共に、第１天板２ａの後方下部には、左右方向に貫通する貫通孔６０を前後離れた位置に設け、前後棚受部５３を上下方向に複数段設けることによって、天板２を上下段の前後棚受部５３のどちらか一方に連結できるようにして、天板２を上下方向に位置変更可能にしてもよい。
【００５６】
また、第１の実施の形態において、天板２は棚受部１６に載置されていたが、螺子等の連結具によって、棚受部１６に脱着可能に連結してもよい。また、サイドボード３の右側端部のアングル２０を棚受部１６に係合することによって、サイドボード３の右側端部が支持されていたが、螺子等の連結具によって棚受部１６に脱着可能に連結してもよい。
【００５７】
【発明の効果】
本発明によれば、パソコンラック自体の占有領域をコンパクトにできるコンパクト手段が設けられているので、パソコンラックをコンパクトにすることができる。
【図面の簡単な説明】
【図１】本発明の第１の実施の形態を示すパソコンラックの正面図である。
【図２】同図１のＡ−Ａ矢視図である。
【図３】同パソコンラックの側面図である。
【図４】同図２のＣ−Ｃ断面図である。
【図５】同図２のＤ−Ｄ断面図である。
【図６】同図１のＢ−Ｂ断面図である。
【図７】同サイドボードの右側端部の詳細図である。
【図８】同支柱の側面の斜視図である。
【図９】本発明の第２の実施の形態を示すパソコンラックの側面図である。
【図１０】同パソコンラックの正面図である。
【図１１】同補助テーブルをガイドレール本体に挿通させている省略図である。
【図１２】同補助テーブルの収納姿勢の側面図である。
【図１３】同補助テーブルが収納姿勢から前方に移動している側面図である。
【図１４】同補助テーブルの上下段姿勢の側面図である。
【図１５】同補助テーブルが上下段姿勢から上方前方に移動している側面図である。
【図１６】同補助テーブルの同一面姿勢の側面図である。
【図１７】同補助テーブルが同一姿勢から下方に移動している側面図である。
【図１８】同補助テーブルが同一姿勢から下方に移動している他の側面図である。
【図１９】本発明の第３の実施の形態を示すパソコンラックの側面図である。
【図２０】同パソコンラックの正面図である。
【図２１】同パソコンラックの背面図である。
【図２２】同モニターガードを連結具に取り付けた取付図である。
【図２３】同パソコンラックの折り畳み側面図である。
【図２４】本発明の第４の実施の形態を示すパソコンラックの側面図である。
【図２５】同パソコンラックの正面図である。
【図２６】同パソコンラックの折り畳み側面図である。
【図２７】本発明の第３の実施の形態のパソコンラックの天板を上下方向に位置変更可能としたパソコンラックの側面図である。
【符号の説明】
１    パソコンラック
２    天板
３    サイドボード
４    支持部材
５    コンパクト手段
６    スライド装置
７    支柱
２６  補助テーブル
２７  姿勢変更装置
５１  揺動機構
５３  前後棚受部
６２  モニターガード
【図１】
2004154345.tif 000003
【図２】
2004154345.tif 000004
【図３】
2004154345.tif 000005
【図４】
2004154345.tif 000006
【図５】
2004154345.tif 000007
【図６】
2004154345.tif 000008
【図７】
2004154345.tif 000009
【図８】
2004154345.tif 000010
【図９】
2004154345.tif 000011
【図１０】
2004154345.tif 000012
【図１１】
2004154345.tif 000013
【図１２】
2004154345.tif 000014
【図１３】
2004154345.tif 000015
【図１４】
2004154345.tif 000016
【図１５】
2004154345.tif 000017
【図１６】
2004154345.tif 000018
【図１７】
2004154345.tif 000019
【図１８】
2004154345.tif 000020
【図１９】
2004154345.tif 000021
【図２０】
2004154345.tif 000022
【図２１】
2004154345.tif 000023
【図２２】
2004154345.tif 000024
【図２３】
2004154345.tif 000025
【図２４】
2004154345.tif 000026
【図２５】
2004154345.tif 000027
【図２６】
2004154345.tif 000028
【図２７】
2004154345.tif 000029